(57)【要約】【課題】更なる低コスト化を実現すると共に、エネルギー効率を向上しつつ建物内での快適性を向上することができる空調システムを提供する。【解決手段】空調システム１は、床スラブ１０３上に立設され、床スラブ１０３と当該床スラブの直上に敷設された床パネル１０との間に床下空間Ｓ２を形成するように介装された複数の支持体２０，２０，・・・，と、複数の支持体２０，２０，・・・，の長手方向の中間部に支持され、床パネル１０の面内方向に沿って敷設されたメッシュパネル３０と、メッシュパネル３０の上面３０ａを覆うように載置された断熱材４０と、断熱材４０上に載置され、放射空調用の温水、冷水などの熱媒体が流れる流路を形成する配管５０，５０，・・・，とを備えている。【選択図】図４
2018146135.tif 000002
【特許請求の範囲】
【請求項１】
建物の床に設置され、放射空調用の熱媒体を用いて前記建物内の対象空間を空調する空調システムであって、
床スラブ上に立設され、前記床スラブと当該床スラブの上方に敷設された床パネルとの間に床下空間を形成するように介装された支持体と、
前記支持体の長手方向の中間部に支持され、前記床パネルの面内方向に沿って敷設されたメッシュパネルと、
前記メッシュパネルの上面を覆うように載置された断熱材と、
前記断熱材上に載置され、前記熱媒体が流れる流路を形成する配管と、を備えることを特徴とする空調システム。
【請求項２】
前記支持体は、前記支持体の長手方向の上端部側に設けられ且つ前記メッシュパネルと係合する係合部を有し、
前記メッシュパネルが、前記床パネルに近接して設置されることを特徴とする、請求項１記載の空調システム。
【請求項３】
前記係合部は、前記メッシュパネルと係合するフランジ部であることを特徴とする、請求項２記載の空調システム。
【請求項４】
前記建物内の機器に電力を供給する電気配線が、前記断熱材上に敷設されることを特徴とする、請求項２記載の空調システム。
【請求項５】
前記メッシュパネルを構成する単位メッシュパネルが、平面視で多角形状を有し、
複数の前記支持体が、前記単位メッシュパネルの複数の角部と係合して前記単位メッシュパネルを支持することを特徴とする、請求項１記載の空調システム。
【請求項６】
前記床パネルを構成する単位床パネルが、平面視で前記単位メッシュパネルと同じ多角形状を有すると共に、前記断熱材を構成する単位断熱材が、平面視で前記単位メッシュパネルと同じ多角形状を有し、
前記単位メッシュパネル、前記単位断熱材及び前記単位床パネルが一のユニット構造を構成し、複数の前記ユニット構造が前記床スラブ上にマトリックス状に設置されることを特徴とする、請求項５記載の空調システム。
【請求項７】
前記配管と前記床パネルとの間に介装された熱伝導性部材を更に備えることを特徴とする、請求項１乃至６のいずれか１項に記載の空調システム。
【発明の詳細な説明】
【技術分野】
【０００１】
本発明は、空調システムに関し、特に放射空調用の熱媒体を用いて対象空間を空調する空調システムに関する。
【背景技術】
【０００２】
従来、建物の床に設置される空調システムとして、熱媒体流路を嵌め込む溝が形成されたベースと、冷水や温水などの熱媒体が流れる熱媒体流路と、ベースに設置された熱媒体流路を保護すると共に熱を放射する放射板とを備える床放射パネルが提案されている。この床放射パネルのベースには、溝の底部から床下に抜けるように、被空調室に空気を吹き出す通気孔が複数形成されており、空気がベースの底部から熱媒体流路の両脇を包み込むように流れて熱媒体と熱交換をし、被空調室に吹き出されるように構成されている（特許文献１）。
【０００３】
また、他の空調システムとして、スラブ上に立設された支持脚上に、冷水や温水を通水する冷温水パイプを保持する長尺状の伝熱板が固定されると共に、該伝熱板上にカバー板が複数枚接合され、且つ該各カバー板の両側に、該カバー板と同一長さの放冷・放熱作用を有するパネルボードを複数枚接合して連設し、更に伝熱板、カバー板及びパネルボードを支持脚の上面に締付けボルトで緊締固定して床パネルを形成し、加えて、スラブと該床パネル間に冷・温風の空調エアの通気空間、及びコードの配設空間を兼ねた空間部を設けた床パネル装置が提案されている（特許文献２）。
【０００４】
また、近年、低コスト化の観点から、建物を逆梁構造とし、躯体の天井スラブを露出させると共に、配管埋設型の天井スラブからの放射空調を行う空調システムが採用されている。この空調システムでは、天井スラブ上面、すなわちコンクリートスラブと床との間に設けられた床下空間に放射空調用配管を敷設し、シンダーコンクリートなどの軽量コンクリートで放射空調用配管を埋設した構成を備え、放射空調用配管の温冷熱を軽量コンクリート及び逆梁スラブを介して直下の下層階の対象空間に放射し、下層階の対象空間を空調する。また、上記床下空間内の軽量コンクリート上面には、当該階に配置された各種電気、設備機器に電力を供給する複数の電気配線が敷設される。
【先行技術文献】
【特許文献】
【０００５】
【特許文献１】特開２００６−２１４６９５号公報
【特許文献２】特開２００３−１０６５４３号公報
【発明の概要】
【発明が解決しようとする課題】
【０００６】
しかしながら、上記特許文献１，２の空調システムでは、放射空調用配管を設置する床パネル構造が複雑であり、設置作業が煩雑であるため、材料コスト及び施工コストが増大するという問題がある。また、ベースに因る荷重増加に伴って建物の構造体補強を行わなければならず、構造体補強に因る作業性の低下や、補強に掛かる材料コスト及び施工コストの増大を伴う。
【０００７】
また、近年採用されている上記空調システムでは、構造用コンクリートとは別に放射空調用配管を埋設するための軽量コンクリートを増し打ちする必要があり、作業性が低く、増し打ちに掛かる材料コストや施工コストが増大し、更には、軽量コンクリートに因る荷重増加に伴って建物の構造体補強を行わなければならず、構造体補強に因る更なる作業性の低下、材料コストの増大及び施工コストの増大を伴う。
【０００８】
また、当該階の床下空間に配置された放射空調用配管の熱は、当該階の逆梁スラブの下面、すなわち床スラブコンクリート下面から放射されるが、分厚い床スラブコンクリートでの蓄熱等の影響により、直下の下層階の対象空間において放射空調が効き始めるまでの立ち上がり時間（熱媒を対象空間に供給してから、対象空間が設定温度になるまでに要する時間）が掛かり、放射空調の応答性が悪く、エネルギー効率及び快適性の観点から改善の余地がある。
【０００９】
更に、当該階の床下空間に設置された放射空調用配管を利用して直下の下層階の空調を行うことから、直下の下層階の空調を行う際に当該階の床下部分に少なからず熱的な影響を与えるため、フロア貸し等で利用される建物では、上下階の対象空間ごとに快適な温度を得るための適温調整が困難である。
【００１０】
加えて、床下空間の下部に敷設された電気配線を当該階の床パネルまで立ち上げて配線する必要があることから、軽量コンクリート上面から床パネルまでの長さに相当する長さの電気配線を余分に配線しなければならず、配線に掛かる材料コストや施工コストが増大する。
【００１１】
本発明の目的は、低コスト化を実現すると共に、放射空調の優れた応答性を実現して、エネルギー効率及び快適性を向上することができる空調システムを提供することにある。
【課題を解決するための手段】
【００１２】
上記目的を達成するために、本発明の空調システムは、建物の床に設置され、放射空調用の熱媒体を用いて前記建物内の対象空間を空調する空調システムであって、床スラブ上に立設され、前記床スラブと当該床スラブの上方に敷設された床パネルとの間に床下空間を形成するように介装された支持体と、前記支持体の長手方向の中間部に支持され、前記床パネルの面内方向に沿って敷設されたメッシュパネルと、前記メッシュパネルの上面を覆うように載置された断熱材と、前記断熱材上に載置され、前記熱媒体が流れる流路を形成する配管と、を備えることを特徴とする。
【００１３】
前記支持体は、前記支持体の長手方向の上端部側に設けられ且つ前記メッシュパネルと係合する係合部を有し、前記メッシュパネルが、前記床パネルに近接して設置される。
【００１４】
前記係合部は、前記メッシュパネルと係合するフランジ部である。
【００１５】
また、前記建物内の機器に電力を供給する電気配線が、前記断熱材上に敷設される。
【００１６】
前記メッシュパネルを構成する単位メッシュパネルが、平面視で多角形状を有し、複数の前記支持体が、前記単位メッシュパネルの複数の角部と係合して前記単位メッシュパネルを支持する。
【００１７】
前記床パネルを構成する単位床パネルが、平面視で前記単位メッシュパネルと同じ多角形状を有すると共に、前記断熱材を構成する単位断熱材が、平面視で前記単位メッシュパネルと同じ多角形状を有し、前記単位メッシュパネル、前記単位断熱材及び前記単位床パネルが一のユニット構造を構成し、複数の前記ユニット構造が前記床スラブ上にマトリックス状に設置される。
【００１８】
また、前記空調システムは、前記配管と前記床パネルとの間に介装された熱伝導性部材を更に備えてもよい。
【発明の効果】
【００１９】
本発明によれば、更なる低コスト化を実現すると共に、エネルギー効率を向上しつつ建物内での快適性を向上することができる。
【図面の簡単な説明】
【００２０】
【図１】本発明の実施形態に係る空調システムの構成を概略的に示す断面図である。
【図２】図１の空調システムの部分斜視図である。
【図３】図１の空調システムの部分拡大断面図である。
【図４】図１の空調システムにおける支持体及び単位メッシュパネルの構成を示す斜視図である。
【図５】（ａ）は、図４における支持体の側面図であり、（ｂ）は、（ａ）の線Ｉ−Ｉに沿う断面図である。
【図６】図５の係合部の変形例を示す図であり、（ａ）は係合部の斜視図、（ｂ）は係合部と単位メッシュパネルとの係合状態を示す平面図である。
【図７】図５の係合部の他の変形例を示す図であり、（ａ）は係合部の斜視図、（ｂ）は係合部と単位メッシュパネルとの係合状態を示す平面図である。
【図８】（ａ）及び（ｂ）は、図１の空調システムの変形例を示す部分断面図である。
【発明を実施するための形態】
【００２１】
以下、本発明の実施形態を図面を参照しながら詳細に説明する。
図１は、本実施形態に係る空調システムの構成を概略的に示す図であり、図２は、図１の空調システムの部分斜視図である。図１及び図２の構成はその一例を示すものであり、本発明に係る空調システムの構成は、図１及び図２のものに限られない。
【００２２】
図１において、本実施形態に係る空調システム１は、ビルなどの建物１００の床に設置され、放射空調用の熱媒体を用いて建物１００内の居室、廊下などの対象空間Ｓ１を空調する。本実施形態の空調システム１は、同図に示すように、梁１０１を天井部に設ける代わりに床部１０２に設け、梁せいに相当する高さに後述の床パネルを設置することで広い床下空間Ｓ２を形成することが可能な逆梁工法の建物に設置される。
【００２３】
この空調システム１は、図１に示すように、床スラブ１０３上に立設され、床スラブ１０３と当該床スラブの直上に敷設された床パネル１０との間に床下空間Ｓ２を形成するように介装された複数の支持体２０，２０，・・・，と、複数の支持体２０，２０，・・・，の長手方向の中間部に支持され、床パネル１０の面内方向に沿って敷設されたメッシュパネル３０と、メッシュパネル３０の上面３０ａを覆うように載置された断熱材４０と、断熱材４０上に載置され、放射空調用の温水、冷水などの熱媒体が流れる流路を形成する配管５０，５０，・・・，とを備えている。
【００２４】
床パネル１０は、その下面１０ａで複数の支持体２０によって支持されており、床パネル１０の両端部が梁１０１，１０１に支持されている。床下空間Ｓ２は、この床パネル１０、梁１０１，１０１及び床スラブ１０３によって画定され、床スラブ１０３の上面１０３ａから梁１０１の上面１０１ａまでの高さ、すなわち梁せいに相当する高さを有している。床パネル１０は、梁せいに相当する高さに限らず、梁せいよりも小さい高さに設置されてもよい。
【００２５】
この床パネル１０は、具体的には、図２に示すように、複数の単位床パネル１１，１１，・・・，をマトリックス状に配置することにより構成されている。床パネル１０を構成する単位床パネル１１は、平面視で多角形状、好ましくは矩形形状を有しており、単位床パネル１１の複数の角部１１ａ，１１ａ，・・・，が複数の支持体２０，２０，・・・，と係合することにより、単位床パネル１１が複数の支持体２０，２０，・・・，に支持されている。
【００２６】
床パネル１０は、良好な熱伝導性を有する材料からなる板材と、他の材料からなる板材との複合材からなる。良好な熱伝導性を有する材料からなる板材は、例えばアルミニウム或いはアルミニウム合金からなり、上記他の材料からなる板材は、例えば樹脂或いは木材からなる。
【００２７】
メッシュパネル３０は、床下空間Ｓ２内で複数の支持体２０，２０，・・・，によって支持されており、床パネル１０に対して平行或いは略平行に配置されている（図１）。メッシュパネル３０は、図２に示すように、複数の単位メッシュパネル３１，３１，・・・，をマトリックス状に配置することにより構成されている。
【００２８】
メッシュパネル３０を構成する単位メッシュパネル３１は、平面視で多角形状、好ましくは矩形形状を有しており、単位メッシュパネル３１の複数の角部３１ａ，３１ａ，・・・，が複数の支持体２０，２０，・・・，と係合することにより、単位メッシュパネル３１が複数の支持体２０，２０，・・・，に支持されている。
【００２９】
メッシュパネル３０は、樹脂、金属或いはこれらの複合材からなり、軽量化の観点から樹脂が好ましい。メッシュの線径或いはピッチは、断熱材４０の形状、重量に応じて変更することができる。
【００３０】
断熱材４０は、床下空間Ｓ２内でメッシュパネル３０によって支持されており、メッシュパネル３０の上面３０ａの全体を覆うように配置されている（図１）。この断熱材４０は、図２に示すように、複数の単位断熱材４１，４１，・・・，をマトリックス状に配置することにより構成されている。また、断熱材４０は、床下空間Ｓ２を、配管５０及び電気配線６０が設置される上部側空間と、メッシュパネル３０が配置される下部側空間とに分割するように敷設され、且つ上部側空間が閉空間となるように構成されるのが好ましい。
【００３１】
断熱材４０を構成する単位断熱材４１は、平面視で多角形状、好ましくは矩形形状を有している。単位断熱材４１の複数の角部４１ａ，４１ａ，・・・，は単位メッシュパネル３１の複数の角部３１ａ，３１ａ，・・・，にそれぞれ対応して載置されており、これにより単位断熱材４１が単位メッシュパネル３１を介して複数の支持体２０，２０，・・・，に支持されている。
【００３２】
断熱材４０は、繊維材、発泡材或いはこれらの複合材からなる。繊維材は、例えばグラスウール、セルローズファイバ、インシュレーションボード或いは羊毛断熱材であり、発泡材は、硬質ウレタンフォーム、ビーズ法ポリスチレンフォーム或いはフェノールフォームである。
【００３３】
床パネル１０を構成する単位床パネル１１は、平面視で単位メッシュパネル３１と同じ多角形状を有すると共に、断熱材４０を構成する単位断熱材４１は、平面視で単位メッシュパネル３１と同じ多角形状を有している。そして、単位メッシュパネル３１、単位断熱材４１及び単位床パネル１１が一のユニット構造を構成し、複数のユニット構造が床スラブ１０３上にマトリックス状に設置される。上記一のユニット構造を構成する単位メッシュパネル３１、単位断熱材４１及び単位床パネル１１は、いずれも平面視で同一の矩形形状であって且つ同一の長さ及び幅を有するのが好ましい。これにより、施工時にユニット構造毎に設置することができ、作業性を向上することができる。
【００３４】
配管５０，５０，・・・，は、冷温水、冷温空気等の媒体が流れる流路を内部に有する熱移送配管であり、配管５０，５０，・・・，によって断熱材４０上に１又は複数の熱移送経路が形成されている。配管５０，５０，・・・，は、熱伝導性の良好な樹脂、金属或いはこれらの複合材からなり、耐腐食性の観点から樹脂が好ましく、例えばポリエチレン製である。空調システム１は、不図示のポンプ、温調器、制御部等を備えており、配管５０，５０，・・・，に流れる媒体の温度を調整可能に構成されている。
【００３５】
また、空調システム１では、建物１００の不図示の機器に電力を供給する複数の電気配線６０，６０，・・・，が、断熱材４０上に敷設される。電気配線６０は、断熱材４０上にいわゆる転がし配線で配線されており、例えば対象空間Ｓ１内に設置された電気機器或いは設備機器に電力（ＡＣ１００Ｖ，２００Ｖ等）を供給するための電力ケーブルや、対象空間Ｓ１内に設置された機器と建物外部との通信（インターネット通信等）を可能にするための通信ケーブルが配線されている。
【００３６】
図３は、図１の空調システム１の部分拡大断面図である。同図に示すように、床下空間Ｓ２の厚み方向において、床スラブ１０３から対象空間Ｓ１に向かって、メッシュパネル３０、断熱材４０、配管５０及び床パネル１０がこの順に配置されている。
【００３７】
メッシュパネル３０は、床下空間Ｓ２の厚み方向中央部よりも床パネル１０側に位置しており、床パネル１０に近接して配置されている。メッシュパネル３０に載置される断熱材４０及び該断熱材４０に載置される配管５０も同様、床下空間Ｓ２の厚み方向中央部よりも床パネル１０側に位置しており、床パネル１０に近接して配置される。本実施形態では、配管５０と床パネル１０との間に厚みの小さい空気層が形成されている。
【００３８】
配管５０内を流れる熱媒体によって供給された熱は、配管５０から上記空気層を介してその上方に位置する床パネル１０に伝熱される。このとき、配管５０が載置される断熱材４０によって当該配管５０から下方への伝熱が遮断されるため、配管５０の熱の大部分が上方に伝熱される。また、配管５０と床パネル１０との間に形成される空気層の厚みが小さいため、該空気層での厚み方向の伝熱が速やかに行われ、その結果、熱が床パネル１０の上面１０ｂから対象空間Ｓ１に速やかに放射される。また、所定階の床下空間Ｓ２に設置された配管５０からの熱によって、その直上の床パネル１０を介して当該階の放射空調を行うため、配管からの熱によってその下方の床スラブを介して直下の下層階の放射空調を行う場合と比較して、床スラブでの蓄熱を格段に少なくすることができる。
【００３９】
また、断熱材４０が床パネル１０の直下であって且つ近接して配置されるため、断熱材４０の上面４０ａから床パネル１０の下面１０ａまでの距離が短い。よって、電気配線６０を床下空間Ｓ２から対象空間Ｓ１まで配線する際、断熱材４０の上面４０ａから床パネル１０の下面１０ａまでの距離に相当する電気配線６０の長さ、すなわち電気配線６０の立ち上げ長さを短くすることが可能となる。
【００４０】
図４は、図１の空調システム１における支持体２０及び単位メッシュパネル３１の構成を示す斜視図である。
【００４１】
図４に示すように、支持体２０は、単位メッシュパネル３１の角部３１ａに対応する位置に配置されており、単位メッシュパネル３１が平面視で矩形形状を有する場合、４つの支持体２０が、それぞれ４つの角部３１ａに対応する位置に配置される。単位メッシュパネル３１は、支持体２０の長手方向に対してほぼ直角に配置されており、単位メッシュパネル３１の角部３１ａが、支持体２０の長手方向の中間部に設けられた後述の係合部と係合している。単位メッシュパネル３１の長さ及び幅は、例えば６０ｃｍ×６０ｃｍである。
【００４２】
単位メッシュパネル３１は、その外郭をなす枠体３２と、枠体３２によって画定される内部に張られたメッシュ部３３とを有している。枠体３２は、一体成形されてもよいし、複数の長尺状の枠体によって組み立てられてもよい。メッシュ部３３は、枠体３２と一体で成形されてもよいし、別体で形成されてもよく、また、枠体３２と同一材料で形成されてもよいし、枠体３２と異なる材料で形成されてもよい。
【００４３】
支持体２０は、具体的には、図５（ａ）の側面図に示すように、長手方向及び幅方向を有する棒状部２１と、棒状部２１の一端に固定され、棒状部２１を床スラブ１０３に固定するためのベース部２２と、棒状部２１の他端に固定され、床パネル１０（単位床パネル１１ともいう）を支持する支持部２３と、支持体２０の長手方向の上端部側に設けられ且つメッシュパネル３０（単位メッシュパネル３１ともいう）と係合する係合部２４とを有している。
【００４４】
棒状部２１は、例えば金属製の柱状部材或いは筒状部材であり、好ましくはスタッド材である。棒状部２１の外周面には、例えば、ベース部２２及び支持部２３の後述する雌ねじ部と螺合可能な雄ねじ部が設けられている。
【００４５】
ベース部２２は、例えば金属製或いは樹脂製のフランジ部であり、床スラブ１０３の上面１０３ａと当接する下面２２ａを有している。また、ベース部２２は、その径方向中心部に棒状部２１が取り付けられる取付け部２２ｂを有している。取付け部２２ｂは、例えば棒状部２１の下端が差し込まれる差込み穴を有しており、該差込み穴の内周面には、棒状部２１の外周面の雄ねじ部と螺合可能な雌ねじ部が設けられている。
【００４６】
支持部２３は、ベース部２２と同様、例えば金属製或いは樹脂製のフランジ部であり、床パネル１０の下面１０ａと当接する上面２３ａを有している。また、支持部２３は、その径方向中心部に棒状部２１が取り付けられる取付け部２３ｂを有している。取付け部２３ｂは、例えば棒状部２１の上端が差し込まれる差込み穴を有しており、該差込み穴の内周面には、棒状部２１の外周面の雄ねじ部と螺合可能な雌ねじ部が設けられている。
【００４７】
係合部２４は、メッシュパネル３０と係合するフランジ部であり、例えば金属製或いは樹脂製である。この係合部２４は、メッシュパネル３０の下面３０ｂと当接する上面２４ａを有している。また、係合部２４は、その径方向中心部に棒状部２１が取り付けられる取付け部２４ｂを有している。取付け部２４ｂは、例えば径方向中心部に貫通孔を有しており、該貫通孔に棒状部２１が挿入されることで、係合部２４が棒状部２１の長手方向にスライド可能に取り付けられ、且つ該長手方向の任意の位置で固定することが可能となっている。これにより、床パネル１０の仕様や床下空間Ｓ２の高さ、すなわち空調システムの仕様や躯体構造に応じて、係合部２４の配置高さを変更することができ、床下空間Ｓ２内での配管５０の配置高さを容易に変更することができる。
【００４８】
また、係合部２４は、上面２４ａに設けられ、且つ単位メッシュパネル３１のメッシュ部３３を係止する係止部２４ｃを有している。この係止部２４ｃは、例えば側面視でＬ字型を有し、単位メッシュパネル３１の角部３１ａにおいてメッシュ部３３の任意の位置に差し込まれる（図５（ｂ）参照）。これにより、単位メッシュパネル３１を係合部２４に容易に係止することができる。係止部２４ｃは、係合部２４の側面などの他の面上に設けられてもよく、また、Ｌ字形状に限らず、単位メッシュパネル３１を係止可能な他の形状であってもよい。
【００４９】
支持体２０に単位メッシュパネル３１を取り付ける場合、図５（ｂ）に示すように、単位メッシュパネル３１の角部３１ａを支持体２０の係合部２４に当接させ、枠体３２を係合部２４の上面２４ａに載置させると共に、メッシュ部３３を上面２４ａの係止部２４ｃに係止させる。また、同様の手順にて他の複数の単位メッシュパネル３１を支持体２０に取り付ける。このような簡単な作業により、単位メッシュパネル３１が床下空間Ｓ２内で高さ方向に位置決めされると共に、複数の単位メッシュパネル３１が支持体２０の軸周りで面内方向に位置決めされ、また、複数の支持体２０，２０，・・・，に対して同様の作業を繰り返すことで、メッシュパネル３０が床下空間Ｓ２内で位置決めされる。
【００５０】
図６は、図５の係合部２４の変形例を示す図であり、（ａ）は係合部の斜視図、（ｂ）は係合部と単位メッシュパネルとの係合状態を示す平面図である。
図６（ａ）に示すように、係合部２５は、上面２５ａに設けられ、且つ単位メッシュパネル３４の枠体３５を位置決めする位置決め部２５ｂを有している。この位置決め部２５ｂは、例えば平面視でくの字型或いはＬ字型であって且つ幅方向断面視で矩形を有する突条部であり、４つの位置決め部２５ｂが、棒状部２１を回転中心として９０度回転対称で配置されている。位置決め部２５ｂは、係合部２５の径方向外側にくの字型或いはＬ字型の側面２５ｃを有しており、この位置決め部２５ｂの側面２５ｃが枠体３５の外側端面３５ａと当接することにより、単位メッシュパネル３４が係合部２５に位置決めされる。
【００５１】
図７は、図５の係合部２４の他の変形例を示す図であり、（ａ）は係合部の斜視図、（ｂ）は係合部と単位メッシュパネルとの係合状態を示す平面図である。
図７に示すように、係合部２６は、上面２６ａに設けられ、且つ単位メッシュパネル３４の枠体３５を位置決めする位置決め部２６ｂを有している。この位置決め部２６ｂは、例えば平面視でＩ字型であって且つ幅方向断面視で矩形を有する突条部であり、４つの位置決め部２６ｂが、棒状部２１を回転中心として９０度回転対称で配置されている。すなわち４つの位置決め部２６ｂは、全体として平面視で十字型の突条部をなしている。
【００５２】
位置決め部２６ｂは、その幅方向一端側に側面２６ｃ−１を有し、幅方向他端側に側面２６ｃ−２を有している。この位置決め部２６ｂの幅方向一端側の側面２６ｃ−１が単位メッシュパネル３４の外側端面３５ａと当接可能に配置されることにより、単位メッシュパネル３４が係合部２６に位置決めされる。また、同じ位置決め部２６ｂの幅方向他端側の側面２６ｃ−２が、隣接する他の単位メッシュパネル３４の外側端面３５ａと当接可能に配置されることにより、隣接する他の単位メッシュパネル３４が係合部２６に位置決めされる。
【００５３】
このように、上記構成の係合部２５，２６によっても、簡単な作業で、単位メッシュパネル３４を床下空間Ｓ２内で高さ方向に位置決めすることができ、また、複数の単位メッシュパネル３４を支持体２０の軸周りで面内方向に位置決めすることができる。
【００５４】
図８（ａ）及び（ｂ）は、図１の空調システム１の変形例を示す部分断面図である。
図８（ａ）に示すように、空調システム１は、配管５０と床パネル１０との間に介装された熱伝導性部材７０を更に備えていてもよい。すなわち、上記実施形態では、配管５０と床パネル１０との間に空気層が介在しているが、本変形例では配管５０と床パネル１０との間に熱伝導性部材７０が介在している。熱伝導性部材７０は、例えば高い熱伝導率を有する熱伝導性フィラーなどの熱伝導性材料を含有する樹脂からなる。
【００５５】
本変形例では、熱伝導性部材７０の下面７０ａに該熱伝導性部材７０と配管５０との当接面が形成されると共に、熱伝導性部材７０の上面７０ｂに該熱伝導性部材７０と床パネル１０との当接面が形成され、配管５０からの熱が熱伝導性部材７０を介して床パネル１０に速やかに伝熱される。これにより、配管５０と床パネル１０の間で優れた伝熱を実現することができ、対象空間Ｓ１における放射空調の応答性を向上することができ、また、配管５０からの熱を床パネル１０から対象空間Ｓ１に均一に放射することができる。
【００５６】
また、熱伝導性部材７０は、塑性変形或いは弾性変形可能な材料であるのが好ましい。これにより、熱伝導性部材７０と配管５０とを密着させて、熱伝導性部材７０と配管５０との当接面積を増大させることができ、また、熱伝導性部材７０と床パネル１０とを密着させて、熱伝導性部材７０と床パネル１０との当接面積を増大させることができ、より優れた伝熱を実現することができる。また、配管５０と床パネル１０の間に熱伝導性部材７０を挟持させることで、断熱材４０上で配管５０を容易に固定することができる。
【００５７】
熱伝導性部材７０は、例えば、床パネル１０の下面１０ａの全体に取り付けられ、配管５０に当接して配置される熱伝導性シートである。この場合、予め床パネル１０の下面１０ａに熱伝導性シートを貼着し、配管５０の設置後に熱伝導性シート付き床パネル１０を設置することができる。これにより、配管５０の敷設レイアウトや敷設本数に因らず、簡単な作業で良好な熱伝達を実現することが可能となる。
【００５８】
また、図８（ｂ）に示すように、空調システム１は、配管５０と床パネル１０との間に介装され、配管５０に対応する位置にのみ配置された熱伝導性部材７１を更に備えていてもよい。この場合、例えば、配管５０の設置後であって床パネル１０の設置前に、予め配管５０上に熱伝導性部材７１を載置し、その後に床パネル１０を設置することができる。これにより、優れた伝熱を実現することが可能であると共に、熱伝導性部材７１の材料コストを削減することができる。
【００５９】
本実施形態によれば、支持体２０が、床スラブ１０３上に立設されると共に、床スラブ１０３と当該床スラブの上方に敷設された床パネル１０との間に床下空間Ｓ２を形成するように介装される。また、メッシュパネル３０が、支持体２０の長手方向の中間部に支持されると共に床パネル１０の面内方向に沿って敷設され、断熱材４０が、メッシュパネル３０の上面３０ａを覆うように載置される。そして、放射空調用の熱媒体が流れる流路を形成する配管５０が、断熱材４０上に載置される。このように、床下空間Ｓ２内にメッシュパネル３０及び断熱材４０を配置し、断熱材４０上に配置された配管５０からの熱を、当該配管の上方に設置された床パネル１０に伝熱することで、床パネル１０上の対象空間Ｓ１を放射空調する。よって、配管５０を埋設するための軽量コンクリートを増し打ちする必要が無く、床下空間Ｓ２内にメッシュパネル３０と断熱材４０を配置するだけで配管５０を設置することができるので、作業性を大幅に向上できると共に、軽量コンクリートの増し打ちに掛かる材料コストや施工コストを低減することができる。
【００６０】
更に、メッシュパネル３０及び断熱材４０は、軽量コンクリートと比較して非常に軽量であるので、メッシュパネル３０及び断熱材４０の設置に因る荷重の増加が非常に小さく、建物１００の構造体補強を行う必要が無いか或いは少しの構造体補強で十分であり、構造体補強に因る作業性の低下を防止し、また、補強に掛かる材料コストや施工コストの増大を防止することができる。
【００６１】
また、所定階の床下空間Ｓ２に設置された配管５０からの熱によってその上方の床パネル１０を介して当該階の放射空調を行うため、配管からの熱によってその下方の床スラブを介して直下の下層階の放射空調を行う場合と比較して、床スラブ１０３での蓄熱が極めて少なく、当該階の対象空間Ｓ１において放射空調が効き始めるまでの立ち上がり時間が短くなり、放射空調の優れた応答性を実現して、エネルギー効率及び快適性を向上することができる。
【００６２】
更に、当該階の床下空間Ｓ２に設置された配管５０を利用して当該階の放射空調を行い、その直下の下層階に熱的な影響を殆ど及ぼさないため、建物１００がフロア貸し等で利用される場合であっても、上下階の対象空間ごとに、その対象空間の階にて快適な温度を得るための適温調整を行うことができる。
【００６３】
また、支持体２０は、支持体２０の長手方向の上端部側に設けられ、且つメッシュパネル３０と係合する係合部２４を有しており、メッシュパネル３０が床パネル１０に近接して設置されるので、配管５０と床パネル１０との間の空気層の厚みが小さく、該空気層での厚み方向の伝熱が速やかに行われ、床パネル１０の上面１０ｂから熱が速やかに放射されるので、放射空調のより優れた応答性を実現することができる。
【００６４】
また、係合部２４は、メッシュパネル３０と係合するフランジ部であるので、東西南北の四方のいずれからでもメッシュパネル３０を係合部に容易に係合させることができ、作業性を向上することができる。
【００６５】
更に、建物１００内の電気機器に電力を供給する電気配線６０が、断熱材４０上に敷設されるので、電気配線６０を当該階の床パネル１０まで立ち上げて配線する際、電気配線６０の立ち上げ長さを短くすることができ、立ち上げ配線に掛かる材料コストや施工コストを削減することができる。
【００６６】
以上、上記実施形態に係る空調システムについて述べたが、本発明は記述の実施形態に限定されるものではなく、本発明の技術思想に基づいて各種の変形及び変更が可能である。
【符号の説明】
【００６７】
１  空調システム
１０  床パネル
１０ａ  下面
１１  単位床パネル
１１ａ  角部
２０  支持体
２１  棒状部
２２  ベース部
２２ａ  下面
２２ｂ  取付け部
２３  支持部
２３ａ  上面
２３ｂ  取付け部
２４  係合部
２４ａ  上面
２４ｂ  取付け部
２４ｃ  係止部
３０  メッシュパネル
３０ａ  上面
３０ｂ  下面
３１  単位メッシュパネル
３１ａ  角部
３２  枠体
３３  メッシュ部
３１ａ  角部
４０  断熱材
４１  単位断熱材
４１ａ  角部
５０  配管
６０  電気配線
７０  熱伝導性部材
７０ａ  下面
７０ｂ  上面
７１  熱伝導性部材
１００  建物
１０１  梁
１０２  床部
１０３  床スラブ
１０３ａ  上面
Ｓ１  対象空間
Ｓ２  床下空間
【図１】
2018146135.tif 000003
【図２】
2018146135.tif 000004
【図３】
2018146135.tif 000005
【図４】
2018146135.tif 000006
【図５】
2018146135.tif 000007
【図６】
2018146135.tif 000008
【図７】
2018146135.tif 000009
【図８】
2018146135.tif 000010